(57)【特許請求の範囲】
【請求項１】
接続金具が絶縁支持棒の上端部に設けられてなる電線仮接続器具を、水平状態に支持された支持具に固定する支持装置において、
前記支持具を挿通させる断面Ｃ字形状の取付部と、この取付部から一体に延出する一対の締付片とを備えた取付部材と、
固定側ホルダ部と回動側ホルダ部とからなり、これらが基端において枢支連結されるとともに、両ホルダの基端部に前記絶縁支持棒を挟み込む保持面がそれぞれ形成された支持部材と、
締付部材と、
一端部に前記取付部材が配され、他端部に前記締付部材が螺合され、中間部に前記支持部材が配される支軸とを備え、
前記取付部材の外方側の締付片を前記支軸に固着し、内方側の締付片を支軸の軸方向に移動可能となるように構成し、
前記支持部材の固定側ホルダ部を前記支軸に摺動自在かつその軸心まわりに回動可能に取付け、前記可動側ホルダ部をその先端部が前記締付部材によって押動される位置まで回動しうるように構成し、
前記締付部材を前記支軸の一端部方向に螺進するよう締め付けることにより、前記支持部材の可動側ホルダ部を押圧して固定側ホルダ部に接近させることで前記両保持面間に前記絶縁支持棒を挟み込み、同時に前記取付部材の外方側の締付片を押圧して内方側の締付片に接近させることで前記取付部を縮径状態に変形させて前記支持具を挟み込むように構成した、
ことを特徴とする電線仮接続器具の支持装置。
【発明の詳細な説明】
【０００１】
【発明の属する技術分野】
本発明は、主として、電柱の高圧引下げ線に対し他の箇所に一時的にバイパスするために仮接続する電線仮接続器具を支持するのに用いる支持装置に関するものである。
【０００２】
【従来の技術】
従来から、図５に示すような電柱１に柱上設置されている配電用変圧器２や図示しない分配器などの保守、点検あるいは交換を行うに際しては、絶縁支持棒４の先端に接続金具７が固着された電線仮接続器具３を用いることにより、無停電で作業することが行われている。すなわち、電線仮接続器具３は、バイパス線８の一端を電気的接続状態に連結した接続金具７を、高圧架線本線９から変圧器２に配線された高圧引下線１０に仮止めした状態として、電柱１に片持ち式に支持された棒状の支持具１２に取り付いている支持金具１３に、鉛直状態で固定される。
【０００３】
続いて、バイパス線８の他端を予備用の変圧器（図示せず）に接続したのちに、絶縁支持棒４の後端の操作部１１により接続金具７を遠隔操作して、接続金具７の歯型状の導体クリップを高圧引下線１０の絶縁被覆を破って導体に電気的接続状態に接触させることにより、予備用変圧器が高圧架線本線９に接続されて一般家庭への給電が可能な状態となる。したがって、高圧引下線１０はバイパス線８により短絡された状態となるから、変圧器２を取り外して、或いはそのままの状態で保守や点検が行われる。
【０００４】
また、上記の電線仮接続器具３を支持具１２に固定するための支持金具１３は、図６に示すように、支持具１２を挿通させるリング状となった固定部１４と、この固定部１４のねじ孔に螺合された固定用ねじ体１７と、固定部１４に一体形成された固定側ホルダ部１８と、この固定側ホルダ部１８に支持ピン１９を介して回動自在に取り付けられた可動側ホルダ部２０と、この可動側ホルダ部２０のねじ孔にねじ込んで取り付けられて固定側ホルダ部１８のねじ孔にねじ込み可能な保持された保持用ねじ体２１とにより構成されている。
【０００５】
この支持金具１３は、以下のような手順で電線仮接続器具３を支持具１２に固定する。すなわち、固定部１４を支持具１２に挿通状態に取り付けた状態において、可動側ホルダ部１２を２点鎖線で示す開いた状態として、固定側ホルダ部１８に電線仮接続器具３における絶縁支持棒４の所定部位を嵌め込んだのちに、可動側ホルダ部２０を回動させて固定側ホルダ１８に重ね合わせ、保持用ねじ体２１を固定側ホルダ部１８のねじ孔にねじ込んで締めつけることにより、両ホルダ部１８，２０により電線仮接続器具３を挟持固定する。つぎに、固定部１４を支持具１２に摺動させながら電線仮接続器具３を鉛直状態に支持できる位置まで移動させてに位置決めしたのちに、固定用ねじ体１７をねじ込んでその先端を支持具１２に圧接させることにより、固定部１４を支持具１２に固定する。
【０００６】
【発明が解決しようとする課題】
しかしながら、上記の支持金具１３は、固定部１４を支持具１２に固定するための固定用ねじ体１７の締め付け操作と、電線仮接続器具３を両ホルダ部１８，２０で保持するための保持用ねじ体２１の締め付け操作との２種の作業を必要とするため、電線仮接続器具３を固定するための作業性が悪い問題がある。
【０００７】
また、この支持金具１３は、電線仮接続器具３を支持具１２に対し直交状態に支持するようになっているから、電線仮接続器具３は、水平状態で電柱１に取り付けられる支持具１２に対して必然的に鉛直状態に支持されることになる。これに対し、柱上変圧器２には一般に複数本の高圧引下線１０が接続されており、その高圧引下線１０の本数だけの電線仮接続器具３を必要とする。この場合、複数の電線仮接続器具３の水平方向の配置は、図５からも明らかなように、高圧架線本線９の配置に合致させることになるから、大きな間隔になってしまう。したがって、電柱１に片持ち式に支持される支持具１２の長さが長くなって複数の電線仮接続器具３の支持が不安定となり、しかも、高所での作業により水平方向に長い設置スペースに複数の電線仮接続器具３を支持しなければならないから、さらに作業性が悪くなる。
【０００８】
そこで、本発明は、複数の電線仮接続器具を水平方向に短い設置スペース内に支持できるとともに、１回の操作で電線仮接続器具を固定できる高圧電線仮接続具を支持装置を提供することを目的とするものである。
【０００９】
【課題を解決するための手段】
上記目的を達成するために、本発明は、接続金具が絶縁支持棒の上端部に設けられてなる電線仮接続器具を、水平状態に支持された支持具に固定する支持装置において、前記支持具を挿通させる断面Ｃ字形状の取付部と、この取付部から一体に延出する一対の締付片とを備えた取付部材と、固定側ホルダ部と回動側ホルダ部とからなり、これらが基端において枢支連結されるとともに、両ホルダの基端部に前記絶縁支持棒を挟み込む保持面がそれぞれ形成された支持部材と、締付部材と、一端部に前記取付部材が配され、他端部に前記締付部材が螺合され、中間部に前記支持部材が配される支軸とを備え、前記取付部材の外方側の締付片を前記支軸に固着し、内方側の締付片を支軸の軸方向に移動可能となるように構成し、前記支持部材の固定側ホルダ部を前記支軸に摺動自在かつその軸心まわりに回動可能に取付け、前記可動側ホルダ部をその先端部が前記締付部材によって押動される位置まで回動しうるように構成し、前記締付部材を前記支軸の一端部方向に螺進するよう締め付けることにより、前記支持部材の可動側ホルダ部を押圧して固定側ホルダ部に接近させることで前記両保持面間に前記絶縁支持棒を挟み込み、同時に前記取付部材の外方側の締付片を押圧して内方側の締付片に接近させることで前記取付部を縮径状態に変形させて前記支持具を挟み込むように構成した、ことを特徴とする。
【００１０】
この電線仮接続器具の支持装置は、締付部材の締め付け操作を行うのみで、支持部材の電線仮接続器具の絶縁支持棒への固定と、取付部材による支持具への固定とを同時に行うことができ、作業性が格段に向上する。
【００１１】
また、締付部材を締め付けない仮保持状態では、支持具に取り付けられている取付部材に対し支持部材が支軸を支点に自由に回動できるから、支持部材を回動させて電線仮接続器具を傾斜させることにより、取付部材を支持具に摺動させながら電柱側に可及的に近接する位置に移動させることができる。それにより、支持具は、従来に比較してほぼ半分の長さに短縮することが可能となり、水平方向に短いスペース内に複数の電線仮接続器具を安定に支持できる。
【００１２】
【発明の実施の形態】
以下、本発明の好ましい実施の形態について図面を参照しつつ詳細に説明する。図１は本発明の一実施の形態に係る電線仮接続器具の支持装置２２の斜視図、図２はその断面図をそれぞれ示す。この支持装置２２は、支軸２３の所定部分の外周面に雄ねじ部２４が形成されており、この支軸２３の一端部に、支持具１２への取付部材２７が固着されている。取付部材２７は、支持具１２を挿通させる断面Ｃ字形状の取付部２７ａと、この取付部２７ａから一体に平行に延びた一対の締付片２７ｂ，２７ｃとを有している。この取付部材２７は、図２に示すように、外方側の締付片２７ｂが支軸２３に嵌合固定されているとともに、内方側の締付片２７ｃが支軸２３に対し僅かな間隙を存して可動できるようになっている。また、取付部２７ａの内周面には、支持具１２に確実に固定するための断面Ｃ字形状のブッシュ２５が貼着されている。
【００１３】
支軸２３には、取付部材２７に隣接して電線仮接続器具３の支持部材２８が取り付けられている。この支持部材２８は、支軸２３に回動可能に取り付けられた固定側ホルダ部２９と、この固定側ホルダ部２９に支持ピン３１を介して回動可能に連結された可動側ホルダ部３０とを有している。固定側ホルダ部２９は、図２に示すように、支軸２３に固定されたＣ型止めリング３２により取付部材２７から離間する方向への移動を規制されている。このＣ型止めリング３２と固定側ホルダ部２９との間には平座金３３が設けられて、固定側ホルダ部２９が支軸２３に対し円滑に回動できるようになっている。一方、可動側ホルダ部３０の自由端部は、支軸２３に挿抜可能な二股形状になっている。なお、両ホルダ部２９，３０の断面半円形状となった保持面２９ａ，３０ａにはそれぞれゴムシート２６が貼着されており、このゴムシート２６が絶縁支持棒４に密着して電線仮接続器具３を安定に支持できるようになっている。また、図２に示すように、支軸２３における取付部材２７と支持部材２８との間には、２枚の歯形リング３４が介在されている。
【００１４】
支軸２３の他端近傍箇所には、支軸２３の雄ねじ部２４に螺合することのできる締付部材３７が取り付けられており、支軸２３の他端部には、締付部材３７の支軸２３からの抜け止め用のロックナット３８が締め付け固定されている。また、支軸２３における支持部材２８と締付部材３７との間には平座金３９が設けられている。
【００１５】
つぎに、上記実施の形態の支持装置２１により電線仮接続器具３を支持具１２に支持する手順について説明する。図３は３台の上記支持装置２２を支持具１２に取り付けた状態の平面図を示す。支持具１２の一端部には、当接金具４０の金具本体部４１が固着されており、当接金具４０には、電柱１に巻き付けて取り付けるための巻ベルト４２の一端が連結され、巻ベルト４２の他端には当接金具４０の係止孔４０ａに掛け止めするためのフック部４３が設けられており、当接金具４０の巻ベルト４２の取付部分には止め具４４が設けられている。
【００１６】
図４は電柱１に３本の電線仮接続器具３を支持具１２を介して支持させた状態を示す正面図である。支持具１２は、当接金具４０を電柱１の所定の側面に当てがって巻ベルト４２を電柱１に巻き付けたのちに、フック部４３を当接金具４１の係止孔４０ａに掛け止めし、止め具４４を操作すると、支持具１２が電柱１に水平状態で片持ち式に支持される。この支持具１２には、３台の支持装置２２がその取付部材２７の取付部２７ａを挿通させて取り付けられている。
【００１７】
これら支持部材１２に電線仮接続器具３を取り付けるに際しては、図３の左端に示す支持部材２８のように、締付部材３７を緩めて支軸２３の後方へ移動させた状態において、支持部材２８における可動側ホルダ部３０を同図に２点鎖線で示すように開いた状態として、電線仮接続器具３の絶縁支持棒４の所要部位を固定側ホルダ部２９の保持面２９ａに嵌め込む。続いて、可動側ホルダ部３０を回動させて、これの保持面３０ａに絶縁支持棒４を嵌め込ませ、両ホルダ部２９，３０の各々の保持面２９ａ，３０ａにより絶縁支持棒４を挟み込み、電線仮接続器具３を支持具１２に仮保持させる。
【００１８】
上記の電線仮接続器具３を支持具１２に仮保持した状態では、支持具１２に取り付けられている取付部材２７に対し支持部材２８が支軸２３を支点に自由に回動できる。したがって、図４に示すように、支持部材２８を回動させて電線仮接続器具３を傾斜させることにより、取付部材２７を支持具１２に摺動させながら電柱１側に可及的に近接する位置に移動させることができる。それにより、支持具１２は、従来に比較してほぼ半分の長さに短縮することが可能となり、水平方向に短いスペース内に複数の電線仮接続器具３を安定に支持することが可能となる。
【００１９】
電線仮接続器具３を支持具１２に支持させる位置が決まれば、締付部材３７を支軸２３の雄ねじ部２４に螺合させたのちに締め付ける。それにより、支持部材２８では、可動側ホルダ部２９が固定側ホルダ部３０に押し付けられるように回動し、両ホルダ部２９，３０の各々の保持面２９ａ，３０ａにより絶縁支持棒４を強固に挟み付けて確実に支持する。それと同時に、支軸２３に摺動可能に取り付けられている支持部材２８は、締付部材３７の締め付けに伴って取付部材２７側に押圧されて移動していく。それにより、取付部材２７では、支持部材２８側の締付片２７ｃが撓められて取付部２７ａが縮径状態に僅かに変形することにより、支持具１２に確実に固定される。すなわち、この支持装置２２では、締付部材３７を締め付け操作するだけで、支持部材２８の電線仮接続器具３への固定と、取付部材２７による支持具１２への固定とを同時に行うことができ、複数の支持装置２２を電柱１に可及的に近接配置できることと合わせて、高所での作業性が格段に向上する。
【００２０】
【発明の効果】
以上のように本発明の電線仮接続器具の支持装置によれば、締付部材の締め付け操作を行うのみで、支持部材の電線仮接続器具の絶縁支持棒への固定と、取付部材による支持具の固定とを同時に行うことができ、作業性が格段に向上する。
【００２１】
また、締付部材を締め付けない仮保持した状態では取付部材に対し支持部材が支軸を支点に回動可能であるから、支持部材を回動させてこれで保持している電線仮接続器具を傾斜させることにより、取付部材を支持具に摺動させながら電柱側に可及的に近接する位置に移動させることができる。それにより、支持具は、従来に比較してほぼ半分の長さに短縮することが可能となり、水平方向に短いスペース内に複数の電線仮接続器具を安定に支持することが可能となる。
【図面の簡単な説明】
【図１】本発明の一実施の形態に係る電線仮接続具の支持装置を示す斜視図。
【図２】同上支持装置の断面図。
【図３】同上支持装置を支持具に３台取り付けた状態の平面図。
【図４】同上の支持具により電線仮接続器具を電柱に支持させた状態の正面図。
【図５】従来の支持具により電線仮接続器具を電柱に支持させた状態の正面図。
【図６】従来の電線仮接続器具の支持具の平面図。
【符号の説明】
３  電線仮接続器具
４  絶縁支持棒
７  接続金具
１２  支持具
２２  支持装置
２３  支軸
２４  雄ねじ部
２７  取付部材
２７ａ  取付部
２７ｂ，２７ｃ  締付片
２８  支持部材
２９  固定側ホルダ部
２９ａ  保持面
３０  可動側ホルダ部
３０ａ  保持面
３７  締付部材
【図１】
0003929550.tif 000002
【図２】
0003929550.tif 000003
【図３】
0003929550.tif 000004
【図４】
0003929550.tif 000005
【図５】
0003929550.tif 000006
【図６】
0003929550.tif 000007